(57)【特許請求の範囲】
【請求項１】
中央台脚部の前後脚部間に張設した支持管に回動自在に軸支した左側レール用筒体部と右側レール用筒体部に夫々前後一対のレールの基端側を取り付けると共に該前後一対のレールの先端側を左右の脚台部に取り付けて、該左右の前後のレールに夫々足置き台をスライド自在に載置したスライド式開脚運動具のスライド距離調整具であって、
該スライド距離調整具は調整具ベース本体に前記脚台部の下端を嵌合支持する嵌合支持枠部を形成すると共に前記足置き台の外側部に当接するストッパ体を前記前後一対のレールの内側に納まるように設けたことを特徴とするスライド式開脚運動具のスライド距離調整具。
【請求項２】
前記嵌合支持枠部を調整具ベース本体の左右方向に複数形成した請求項１に記載のスライド式開脚運動具のスライド距離調整具。
【請求項３】
前記ストッパ体を調整具ベース本体に着脱自在として調整具ベース本体の左右方向において位置調節自在とした請求項１又は２に記載のスライド式開脚運動具のスライド距離調整具。
【請求項４】
前記嵌合支持枠部を調整具ベース本体の左右方向に複数形成して夫々の支持台部の高さを異なるものとした請求項１又は３に記載のスライド式開脚運動具のスライド距離調整具。
【請求項５】
前記嵌合支持枠部を調整具ベース本体の左右方向に複数形成して夫々の嵌合支持枠部に高さ調整部材を着脱自在に嵌合して夫々の支持台部の高さを異なるものとした請求項１又は３に記載のスライド式開脚運動具のスライド距離調整具。
【請求項６】
前記嵌合支持枠部の前後中央に前記前後一対のレールが介入できる切欠空間部を形成した請求項１から請求項５の何れか１項に記載のスライド式開脚運動具のスライド距離調整具。
【発明の詳細な説明】
【技術分野】
【０００１】
本発明は、レールにスライド自在に載置した一対の足置き台に両足を乗せて両脚を開閉運動するスライド式開脚運動具の足置き台のスライド距離を調整するスライド距離調整具に関するものである。
【背景技術】
【０００２】
本発明において足置き台のスライド距離を調整する対象となるスライド式開脚運動具１００は図３に示すように、中央台脚部１０１の前後脚部１０１ａ、１０１ｂ間に張設した支持管に回動自在に軸支した左側レール用筒体部１０２と右側レール用筒体部１０３に左右対称となるように前後一対のレール１０４の基端側を取り付け、また、該前後一対のレール１０４の先端側を左右の脚台部１０５、１０６に取り付けて、該左右の前後一対のレール１０４に夫々足置き台１０７、１０７をスライド自在に載置したものである。
【０００３】
そして、前記スライド式開脚運動具１００は左右の足置き台１０７、１０７に足を載せて脚を開閉させて運動するものである。このスライド式開脚運動具１００の足置き台１０７、１０７のスライド距離は、各足置き台１０７、１０７の下方左右外側に設けたストッパを前後一対のレール１０４のスライドの始点箇所と終点箇所の内側に設けたストッパに当接させて一定の距離スライドさせるものとしている。
【０００４】
このため、前記スライド式開脚運動具１００はスライド距離が一定なためスライド距離を短くする開脚運動ができないという問題がある。
【０００５】
なお、前記スライド式開脚運動具１００と同様の運動具は特許文献１、２のとおり知られているが、これらもスライド距離が一定なためスライド距離を短くする開脚運動ができないものである。
【０００６】
また、矩形ベース（レール）上をスライド自在とした足置き台のスライド距離を調整できるものとして特許文献３のものが知れているが、これはスライド間隔を規制するシート（ストッパ）を矩形ベース（レール）に設けた複数の孔を選択してスライド間隔を調整するものである。
【０００７】
この技術を前記スライド式開脚運動具１００に応用して、レール１０３のスライドの終点箇所の内側に設けたストッパの位置を調節自在とする手段として、ストッパを着脱自在として該ストッパを取り付ける取付部を複数設けてこれを選択する方法を採ることができる。
しかしながら、これはストッパを着脱する作業が面倒であり、また、脚力が掛かるストッパを的確に取付部に保持するための取付強度も必要な問題がある。
【先行技術文献】
【特許文献】
【０００８】
【特許文献１】特開２０１０−６３８８８号公報
【特許文献２】実用新案登録第３１６８５４１号公報
【特許文献３】実用新案登録第３１６３１０４号公報
【発明の概要】
【発明が解決しようとする課題】
【０００９】
本発明は前記したような問題を解決して、スライド式開脚運動具において簡単に後付で取り付け、取り外しができて、足置き台のスライド距離を調整できることは勿論のことレールの傾きも変更できるスライド距離調整具を提供するものである。
【課題を解決するための手段】
【００１０】
前記した課題を解決した本発明のスライド式開脚運動具のスライド距離調整具は、中央台脚部の前後脚部間に張設した支持管に回動自在に軸支した左側レール用筒体部と右側レール用筒体部に夫々前後一対のレールの基端側を取り付けると共に該前後一対のレールの先端側を左右の脚台部に取り付けて、該左右の前後一対のレールに夫々足置き台をスライド自在に載置したスライド式開脚運動具のスライド距離調整具であって、該スライド距離調整具は調整具ベース本体に前記脚台部の下端を嵌合支持する嵌合支持枠部を形成すると共に前記足置き台の外側部に当接するストッパ体を前記前後一対のレールの内側に納まるように設けたことを特徴とするものを基本とする。
【００１１】
そして、前記嵌合支持枠部を調整具ベース本体の左右方向に複数形成することが好ましい。
【００１２】
また、前記ストッパ体を調整具ベース本体に着脱自在として調整具ベース本体の左右方向において位置調節自在としてもよい。
【００１３】
また、前記嵌合支持枠部を調整具ベース本体の左右方向に複数形成して夫々の支持台部の高さを異なるものとしてもよい。
【００１４】
また、前記嵌合支持枠部を調整具ベース本体の左右方向に複数形成して夫々の嵌合支持枠部に高さ調整部材を着脱自在に嵌合して夫々の支持台部の高さを異なるものとしてもよい。
【００１５】
さらには、前記嵌合支持枠部の前後中央に前記前後一対のレールが介入できる空間部を形成することがより好ましいものである。
【発明の効果】
【００１６】
前記のような本発明のスライド距離調整具は、調整具ベース本体にスライド式開脚運動具の左右の脚台部の下端を嵌合支持する嵌合支持枠部を形成すると共にスライド式開脚運動具の足置き台の外側部に当接するストッパ体をスライド式開脚運動具の前後のレールの内側に納まるように設けたものであるから、該スライド距離調整具の２台を夫々ストッパ体がスライド式開脚運動具の中央側を向くようにして嵌合支持枠部にスライド式開脚運動具の左右の脚台部に嵌合させて使用するものである。
【００１７】
そうすれば、前記スライド距離調整具のストッパ体はレールにスライド自在に載置した足置き台の外側方向へのスライド距離を規制することとなる。すなわち、使用者は該スライド距離調整具により足置き台に両足を乗せて行う両脚の開閉運動のスライド距離を調整することができるものである。
【００１８】
また、前記嵌合支持枠部を調整具ベース本体の左右方向に複数形成すると、スライド式開脚運動具の左右の脚台部を複数の嵌合支持枠部の何れを選択して嵌合することよりスライド距離を複数段調整することができるものである。
【００１９】
また、前記ストッパ体を調整具ベース本体に着脱自在として調整具ベース本体の左右方向において位置調節自在とすれば、これでスライド距離を複数段調整できるものであり、さらに、前記嵌合支持枠部を調整具ベース本体の左右方向に複数形成したものと併せた場合はスライド距離をより多く複数段調整できるものである。
【００２０】
また、前記嵌合支持枠部を調整具ベース本体の左右方向に複数形成して夫々の支持台部の高さを異なるものとすれば、該支持台部に支持されるスライド式開脚運動具の左右の脚台部の高さを複数段に異なる高さに変更されて、これに伴いレールの上下の傾きがスライド式開脚運動具の支持管を支点に複数段階で変更でき、スライド距離の変更のみならず運動負荷も変更できるものである。
【００２１】
さらには、前記嵌合支持枠部の前後中央に前記前後一対のレールが介入できる切欠空間部を形成すると、本発明に係るスライド距離調整具の２台を夫々ストッパ体がスライド式開脚運動具の外側を向くようにして嵌合支持枠部に左右の脚台部に嵌合させて使用すれば、嵌合支持枠部の切欠空間部にレールが位置するので該嵌合支持枠部が足置き台のスライドを妨げることがないので、スライド式開脚運動具の付設したストッパによる最大のスライド開脚運動ができるものとして、調整具ベース本体の支持台部によりスライド式開脚運動具の左右の脚台部の高さを変更してレールの上下の傾きを変更でき運動負荷も軽減できるものである。
【００２２】
このように本発明のスライド距離調整具は、スライド式開脚運動具に簡単に後付で取り付け、取り外しができて、足置き台のスライド距離を調整できることは勿論のことレールの傾きも変更できるものである。
【図面の簡単な説明】
【００２３】
【図１】本発明に係るスライド距離調整具を示す斜視図。
【図２】本発明に係るスライド距離調整具を図1の反対方向より示す斜視図。
【図３】本発明に係るスライド距離調整具の第１使用例を示す斜視図。
【図４】本発明に係るスライド距離調整具の第２使用例を示す斜視図。
【図５】本発明に係るスライド距離調整具の第３使用例を示す斜視図。
【図６】本発明に係るスライド距離調整具の第４使用例を示す斜視図。
【発明を実施するための形態】
【００２４】
本発明の好ましい実施の形態を図面に基づき説明する。
【００２５】
先ず、本発明の説明の便宜上、スライド距離調整具により足置き台のスライド距離を調整する対象となるスライド式開脚運動具１００について、第１使用例の図３により説明する。
【００２６】
このスライド式開脚運動具１００は、中央台脚部１０１の前後脚部１０１ａ、１０１ｂ間に張設した支持管１０１ｃに回動自在に軸支した左側レール用筒体部１０２と右側レール用筒体部１０３に夫々前後一対のレール１０４の基端側を取り付け、また、該レール１０４の先端側を左右の脚台部１０５、１０６に取り付けて、該左右の前後一対のレール１０４に夫々足置き台１０７、１０７をスライド自在に載置したものである。
【００２７】
なお、左側レール用筒体部１０２は支持管１０１ｃの中央部に、右側レール用筒体部１０３は支持管１０１ｃの前後端側に前側筒体部１０３ａと後側筒体部１０３ｂに分割して軸支してある。そして、前後一対のレール１０４は支持管１０１ｃの左右において対称となるように、前記前後に分割した前側筒体部１０３ａと後側筒体部１０３ｂに右側の前後一対のレール１０４の１本づつ各別に取り付け、また、支持管１０１ｃの中央部に軸支した左側レール用筒体部１０２には前記分割した前側筒体部１０３ａと後側筒体部１０３ｂの側面に臨む取付用腕金１０２ａ、１０２ａを延設して、該取付用腕金１０２ａ、１０２ａに前記右側の前後一対のレール１０４の１本づつを取り付けた対応箇所に左側の前後一対のレール１０４を取り付けている。また、前記中央台脚部１０１の前脚部１０１ａの中央上方には高さ調節自在としたハンドル１０８が設けらている。
【００２８】
そして、前記スライド式開脚運動具１００は左右の足置き台１０７、１０７に足を載せて脚を開閉させて運動するものである。このスライド式開脚運動具１００の足置き台１０７、１０７のスライド距離は、各足置き台１０７、１０７の下方左右外側に設けたストッパ１０９ａを各前後一対のレール１０４のスライドの始点箇所と終点箇所の内側に設けたストッパ１０９ｂに当接させて一定としている。
【００２９】
次に、本発明のスライド距離調整具を図１、図２に基づき説明する。
１は平板状の調整具ベース本体であり、該調整具ベース本体１には前記脚台部１０５、１０６の下端を嵌合支持する嵌合支持枠部２を形成すると共に前記足置き台１０７の外側部に当接するストッパ体３を前記前後一対のレール１０４の内側に納まるように設けたものである。
【００３０】
この実施形態では前記嵌合支持枠部２は四角形状とした調整具ベース本体１の左右方向の対向する一方の辺の内側に複数すなわち２つ形成してある。また、複数すなわち２つ形成した嵌合支持枠部２は夫々の支持台部２１の高さを異なるものとしている。すなわち、辺に沿い形成した嵌合支持枠部２（２ａ）の支持台部２１の高さを調整具ベース本体１の上面により高く形成して、内側となる嵌合支持枠部２（２ｂ）の支持台部２１の高さを調整具ベース本体１の上面と同一として形成したものである。また、図示はしていないが、左右方向に複数形成した嵌合支持枠部２に調整部材を着脱自在に嵌合して夫々の支持台部２１の高さを異なるものとしてもよい。
【００３１】
なお、スライド式開脚運動具１００の前後方向は支持管１０１ｃの長手方向であり、左右はレール１０４の長手方向である。また、四角形状とした調整具ベース本体１の前後方向及び左右方向も同様である。
【００３２】
また、前記ストッパ体３は四角形状とした調整具ベース本体１の左右方向の対向する他方の辺の外側に弾性材よりなる当て面３ａが臨むものとして前記前後一対のレール１０４の内側に位置するようにしている。また、該ストッパ体３は２個のストッパ片３１、３１を前後に対称に２個併設しており調整具ベース本体１を前後に反転させて同一形状のスライド距離調整具を、前記左右の脚台部１０５、１０６のどちらにもに適用できるものとしている。なお、２個のストッパ片３１、３１を一体のブロック状としてもよい。
【００３３】
また、図示はしていないが、前記ストッパ体３を調整具ベース本体１に着脱自在として調整具ベース本体１の左右方向において位置調節自在としてもよい。
【００３４】
さらに、前記嵌合支持枠部２を前後方向の中央に前記前後一対のレール１０４が介入できる切欠空間部２３を形成している。
【００３５】
続いて、本発明のスライド距離調整具の使用例について説明する。
【００３６】
〔第１使用例〕
図３に示す第１使用例は、本発明のスライド距離調整具の２台を、夫々スライド式開脚運動具１００の左右の脚台部１０５、１０６の位置においてストッパ体３がスライド式開脚運動具１００の左右方向の中央を向くようにして、調整具ベース本体１の左右方向に２つ形成した嵌合支持枠部２の内側の嵌合支持枠部２（２ｂ）に脚台部１０５、１０６を嵌合して支持する。この場合、ストッパ体３が前記前後一対のレール１０４の内側に納まるように設けたものであるから、ストッパ体３が前記前後一対のレール１０４に触れる不都合はないものである。
【００３７】
そうすれば、前記スライド距離調整具のストッパ体３は前後一対のレール１０４にスライド自在に載置した足置き台１０７、１０７の左右方向の外側へのスライド距離を規制することとなる。すなわち、使用者は該スライド距離調整具により足置き台１０７、１０７に両足を乗せて行う両脚の開閉運動のスライド距離を調整することができるものである。
【００３８】
〔第２使用例〕
図４に示す第２使用例は、前記第１使用例と異なるとことは調整具ベース本体１左右方向に２つ形成した嵌合支持枠部２の外側の嵌合支持枠部２（２ａ）に脚台部１０５、１０６を嵌合して支持して使用するものであり、ストッパ体３が前記第１使用例よりスライド式開脚運動具１００の左右方向の中央側に位置して、足置き台１０７、１０７に両足を乗せて行う両脚の開閉運動のスライド距離をより短く調整するものである。
【００３９】
〔第３、４使用例〕
図５に示す第３使用例と図６に示す第４使用例は、ストッパ体３による足置き台１０７、１０７のスライド距離を調整することなく、調整具ベース本体１の左右方向に２つ形成した支持台部２１の高さを異なる嵌合支持枠部２（２ａ、２ｂ）を選択して脚台部１０５、１０６を嵌合して支持して前後一対のレール１０４の傾きを支持管１０１ｃを支点に変えて脚に掛かる負荷を変更するため使用するものである。
【００４０】
すなわち、図５に示す第３使用例においては、本発明のスライド距離調整具の２台を、夫々スライド式開脚運動具１００の左右の脚台部１０５、１０６の位置においてストッパ体３がスライド式開脚運動具１００の外側を向くようにして、調整具ベース本体１左右方向に２つ形成した嵌合支持枠部２の内側の支持台部２１の高さが調整具ベース本体１の上面と同一の嵌合支持枠部２（２ｂ）に脚台部１０５、１０６を嵌合して支持して、前後一対のレール１０４の傾きを支持管１０１ｃを支点にやや緩やかにして脚に掛かる負荷をやや少なくするものである。
【００４１】
また、図６に示す第４使用例においては、調整具ベース本体１左右方向に２つ形成した嵌合支持枠部２の外側の支持台部２１の高さが調整具ベース本体１の上面より高い嵌合支持枠部２（２ａ）に脚台部１０５、１０６を嵌合して支持して、前後一対のレール１０４の傾きを支持管１０１ｃを支点により緩やかにして脚に掛かる負荷をより少なくするものである。
【符号の説明】
【００４２】
１  調整具ベース本体
２（2a、2b）  嵌合支持枠部
21  支持台部
３  ストッパ体
100  スライド式開脚運動具
101  中央台脚部１０１
101a  前脚部
101b  後脚部
101c  支持管
102  左側レール用筒体部
103  右側レール用筒体部
104  前後一対のレール
105  脚台部
106  脚台部
107  足置き台
【図１】
0005610593.tif 000002
【図２】
0005610593.tif 000003
【図３】
0005610593.tif 000004
【図４】
0005610593.tif 000005
【図５】
0005610593.tif 000006
【図６】
0005610593.tif 000007